(57)【要約】【課題】人が殆ど動かない状態であっても、人の存在を確実に検知して、その人に送風機の首振り中心を合せた送風を行なうことが可能な扇風機を提供する。【解決手段】リモコン２の特定のスイッチ２７を操作すると、送信部２９から無線信号が送出される。この無線信号を扇風機本体１の受信部３１で受信し、指向性の方向を変えた複数の受信センサ３２の受信量に基づき、リモコン２がどの方向にあるのかを決定する。そして、リモコン２の方向に送風部１３の左右の首振り中心が一致するように、首振り装置１４が動作する。【選択図】図１
2019085883.tif 000002
【特許請求の範囲】
【請求項１】
本体と、
前記本体とは別に設けられ、操作に伴う無線信号を送出する遠隔操作体と、からなり、
前記本体は、ファンを有する送風部と、前記送風部を首振り運動させる首振り装置と、前記遠隔操作体からの無線信号を受信する受信部と、前記本体の各部を制御する制御部と、を備え、
前記受信部は、指向性の方向が各々異なる複数の受信センサを有し、
前記制御部は、前記受信センサの各受信量から、前記無線信号を発する前記遠隔操作体の方向を決定し、その方向に前記送風部の首振り中心が一致するように、前記首振り装置の動作を制御する構成としたことを特徴とする扇風機。
【請求項２】
前記無線信号は赤外線信号であり、
前記受信センサは、前記赤外線信号を受ける受光素子と、前記受光素子の前方に配設される筒状の指向性チューブと、からなることを特徴とする請求項１記載の扇風機。
【請求項３】
前記本体はさらに、床面に載置する基台と、前記基台から上方に向かう支持部と、を備え、前記支持部の上部に前記送風部と前記首振り装置が配設され、
前記受信センサは、間隔を置いて前記基台にそれぞれ配設されることを特徴とする請求項１または２記載の扇風機。
【請求項４】
ファンを有する送風部と、前記送風部を首振り運動させる首振り装置と、音圧を測定する音圧計測部と、前記本体の各部を制御する制御部と、を本体に備え、
前記音圧計測部は、指向性の方向が各々異なる複数の音圧計測センサを有し、
前記制御部は、前記音圧計測センサの各音圧量から、その音の発生する方向を決定し、その方向に前記送風部の首振り中心が一致するように、前記首振り装置の動作を制御する構成としたことを特徴とする扇風機。
【請求項５】
前記音圧計測センサは、前記音を捕捉するマイクロホンと、前記マイクロホンの前方に配設される筒状のチューブと、前記チューブの内部に装着され、当該チューブの長さ方向に複数の空洞を有して構成される指向性フィルタと、からなることを特徴とする請求項４記載の扇風機。
【請求項６】
前記本体はさらに、床面に載置する基台と、前記基台から上方に向かう支持部と、を備え、前記支持部の上部に前記送風部を前記首振り装置が配設され、
前記音圧計測センサは、間隔を置いて前記基台にそれぞれ配設されることを特徴とする請求項４または５記載の扇風機。
【発明の詳細な説明】
【技術分野】
【０００１】
本発明は、送風部の首振り中心を自分に合せて送風を行なう扇風機に関する。
【背景技術】
【０００２】
従来の技術として、例えば特許文献１には、ファンを備えた送風部と、送風部の送風方向を変更する首振り装置と、人の存在を検知する複数の人感センサを有する人感センサ部と、人感センサ部の検知結果に応じて送風部の送風方向を自動設定する制御部と、を備えた扇風機が開示されている。この場合、人感センサ部で定期的に人の存在を検知し、人のいる方向にのみ送風部の首振り角度を制御することで、人のいない範囲には送風を行なわずに、効率的に人に風を当てることが可能になる。
【先行技術文献】
【特許文献】
【０００３】
【特許文献１】特開２０１５−２５５６０７号公報
【発明の概要】
【発明が解決しようとする課題】
【０００４】
上述の扇風機に組み込まれる人感センサは、集電型の赤外線検知センサを使用しているため、人の動きに伴うある程度の温度の変化がない限り、人の存在を検出できない。そのため、人が殆ど動かない状態で扇風機の周辺にいても、その人の方向へ送風部を向けることはできない。
【０００５】
本発明は、上記課題を解決するのになされたもので、人が殆ど動かない状態であっても、人の存在を確実に検知して、その人に送風機の首振り中心を合せた送風を行なうことが可能な扇風機を提供することを、その目的とする。
【課題を解決するための手段】
【０００６】
本発明は、本体と、前記本体とは別に設けられ、操作に伴う無線信号を送出する遠隔操作体と、からなり、前記本体は、ファンを有する送風部と、前記送風部を首振り運動させる首振り装置と、前記遠隔操作体からの無線信号を受信する受信部と、前記本体の各部を制御する制御部と、を備え、前記受信部は、指向性の方向が各々異なる複数の受信センサを有し、前記制御部は、前記受信センサの各受信量から、前記無線信号を発する前記遠隔操作体の方向を決定し、その方向に前記送風部の首振り中心が一致するように、前記首振り装置の動作を制御する構成とした扇風機である。
【０００７】
また本発明は、ファンを有する送風部と、前記送風部を首振り運動させる首振り装置と、音圧を測定する音圧計測部と、前記本体の各部を制御する制御部と、を本体に備え、前記音圧計測部は、指向性の方向が各々異なる複数の音圧計測センサを有し、前記制御部は、前記音圧計測センサの各音圧量から、その音の発生する方向を決定し、その方向に前記送風部の首振り中心が一致するように、前記首振り装置の動作を制御する構成とした扇風機である。
【発明の効果】
【０００８】
請求項１の発明では、人が遠隔操作体を操作したときに送出される無線信号が受信部に到達すると、制御部は指向性の方向を変えた複数の受信センサの受信量に基づき、遠隔操作体がどの方向にあるのかを決定し、その方向に送風部の首振り中心が一致するように、首振り装置の動作を制御する。これにより、人が殆ど動かない状態であっても、遠隔操作体への操作を行なうことで、人の存在を確実に検知して、その人に送風部の首振り中心を合せた送風を行なうことが可能になる。
【０００９】
請求項２の発明では、遠隔操作体が送信する無線信号として広く普及する特定の方向からの赤外線信号を、筒状の指向性チューブによる簡単な構造で、外乱光や他の遠隔操作体からの赤外線信号によるノイズを排除しながら、受光素子で確実に受信することができ、赤外線信号の認識精度を向上させることが可能となる。
【００１０】
請求項３の発明では、本体が倒れないように床面に対して比較的広い範囲に形成される基台を、受信部の取付け部として利用すれば、それぞれの受信センサを十分な間隔で基台に配置することができ、無線信号がどの方向から発せられた場合であっても、その無線信号の認識精度を向上させることが可能となる。
【００１１】
請求項４の発明では、人が手を叩くなどして発した音が音圧計測部に到達すると、制御部は指向性の方向を変えた複数の音圧計測センサの音圧量に基づき、音を発した人がどの方向にあるのかを決定し、その方向に送風部の首振り中心が一致するように、首振り装置の動作を制御する。これにより、人が動かない状態であっても、何らかの音を発することで、人の存在を確実に検知して、その人に送風部の首振り中心を合せた送風を行なうことが可能になる。
【００１２】
請求項５の発明では、人が発した特定の方向からの音を、筒状のチューブと複数の空洞を有する指向性フィルタとによる簡単な構造で、目的の音以外のノイズを排除しながら、マイクロホンで確実に捕捉することができ、音の認識精度を向上させることが可能となる。
【００１３】
請求項６の発明では、本体が倒れないように床面に対して比較的広い範囲に形成される基台を、音圧計測部の取付け部として利用すれば、それぞれの音圧計測センサを十分な間隔で基台に配置することができ、音がどの方向から発せられた場合であっても、その音の認識精度を向上させることが可能となる。
【図面の簡単な説明】
【００１４】
【図１】本発明の第１実施例における扇風機の全体斜視図である。
【図２】同上、扇風機本体の正面図である。
【図３】同上、扇風機本体の右側面図である。
【図４】同上、扇風機本体の平面図である。
【図５】同上、送風部を傾けた状態の扇風機本体の右側面図である。
【図６】同上、ベースの要部平面図である。
【図７】同上、電気的構成を示すブロック図である。
【図８】同上、送風部の左右の首振り範囲を説明する図である。
【図９】同上、直接操作で左右に風向が調節される送風部を示した図である。
【図１０】本発明の第２実施例における扇風機の全体斜視図である。
【図１１】同上、音圧計測センサの分解斜視図である。
【図１２】同上、電気的構成を示すブロック図である。
【図１３】同上、各音圧計測センサで計測された音圧を示す波形図である。
【発明を実施するための形態】
【００１５】
以下、添付図面を参照しつつ、本発明における扇風機の好ましい実施例について、添付図面を参照しながら詳細に説明する。なお、各実施例で同一の部分には同一の符号を付し、その共通する箇所の説明は重複を避けるため極力省略する。
【実施例１】
【００１６】
図１は、本発明の第１実施例における扇風機本体１とリモコン２からなる扇風機の外観を示している。また図２〜図５は、本体となる扇風機本体１の外観を示している。
【００１７】
これらの各図において、送風を行なうための扇風機本体１は、室内の床面Ｓなどに載置されるベース１１と、ベース１１から上方に向かう支柱１２と、風を送り出す送風部１３と、送風部１３を任意の方向に首振り運動させるための首振り装置１４と、を主な構成要素とする。支柱１２の上端部には送風部１３が設けられ、送風部１３の後部には首振り装置１４が設けられる。送風部１３および首振り装置１４は、ベース１１と支柱１２とにより、床面Ｓより所定の高さに支持される。
【００１８】
基台となる樹脂製のベース１１は、扇風機本体１が容易に倒れないように、その外形が平面視でほぼ円形をなす扁平状に形成される。またベース１１には、扇風機本体１の各部へ給電するための電源プラグ付きコード１５が、巻取り可能に設けられる。ベース１１の上面前方には、後述するが複数のキーやボタンによる操作部４１の他に、ＬＥＤなどの表示部５１を備えた操作パネル１６が設けられる。支持部となる支柱１２は、ベース１１の上面から垂直に延びる筒状の支柱基部１７と、この支柱基部１７の内側に上下摺動自在に組み付けられた摺動杆１８とからなり、支柱基部１７の上部後方に設けたロック釦１９を、図示しない弾性体の付勢力に抗して押動することにより、支柱基部１７と摺動杆１８との係合が解除されて、送風部１３や首振り装置１４を支持する摺動杆１８が、支柱基部１７に対して上下に摺動するようになっている。
【００１９】
送風部１３は、駆動源としてのモータに相当するＤＣ（直流）ファンモータ２１と、このＤＣファンモータ２１により回転駆動される羽根としてのファン２２と、ファン２２を囲む網状のガードとしてのファンガード２３とからなる。ファン２２は、ＤＣファンモータ２１の前方に突出した回転軸（図示せず）に取付け固定され、複数の翼２４を放射状に配置して構成される。また、送風部１３のＤＣファンモータ２１と首振り装置１４の全体は、前側を開口した駆動部カバー２５により覆われており、この駆動部カバー２５の開口周縁にファンガード２３が取り付けられる。ここでは、送風部１３の駆動源としてＤＣファンモータ２１を採用しているので、ＤＣファンモータ２１に供給するパルス駆動信号のデューティを制御することで、ファン２２の回転数を任意に可変することができる。
【００２０】
本実施例の首振り装置１４は、扇風機本体１に対して送風部１３を左右の水平方向にだけでなく、上下の垂直（俯仰）方向にも単独若しくは両方で揺動させることが可能である。図５は、送風部１３を上方向に揺動させたときの状態を示している。こうした送風部１３に対する左右の首振り運転のオン・オフや、上下の首振り運転のオン・オフは、リモコン２や操作パネル１６からの手動操作でそれぞれ切替できるようになっている。
【００２１】
図１に示すリモコン２は、扇風機本体１を離れた場所から操作する遠隔操作体として、扇風機本体１と別体に備えてある。リモコン２は周知のように、何れも押動操作が可能な複数のボタン２７Ａからなるリモコン操作部２８や、赤外線発光素子を備えた送信部２９などを有し、リモコン操作部２８の操作体であるボタン２７Ａを押す毎に、そのボタン２７Ａに対応した固有のコードを含む赤外線信号が、送信部２９から無線で送信される構成となっている。
【００２２】
３１は、リモコン２からの赤外線信号を受信するために、扇風機本体１のベース１１に組み込まれた受信部である。受信部３１は、受信指向性の方向が各々異なるように配設された複数の受信センサ３２として、３個の赤外通信信号センサ３２Ａ，３２Ｂ，３２Ｃを有して構成される。赤外通信信号センサ３２Ａ，３２Ｂ，３２Ｃそのものは、リモコン２からの赤外線信号を受信するセンサとして広く流通しており、従来の集電型の赤外線検知センサと比較してコストの低減を図ることができる。
【００２３】
赤外通信信号センサ３２Ａ，３２Ｂ，３２Ｃは同一の構成で、何れも赤外線信号を受ける受光面を有する受光素子３３と、受光素子３３への赤外線信号の進入経路を制限するために、受光面の前方に配設される直線円筒状の指向性チューブ３４と、により構成される。指向性チューブ３４は、長さ（軸）方向の両端を開口して、その一端が受光素子３３の受光面に臨んで受光素子３３に取付けられており、他端はベース１１の側面に開口形成した窓孔３５に臨んでいる。したがって、ベース１１に設けられる窓孔３５も、赤外通信信号センサ３２Ａ，３２Ｂ，３２Ｃと同じ数を有する。
【００２４】
本実施例では図１に示すように、支柱１２を中心として、そこからベース１１の側面に向かう異なる各放射方向に、赤外通信信号センサ３２Ａ，３２Ｂ，３２Ｃおよび窓孔３５がそれぞれ配設される。具体的には、扇風機本体１を正面から見て、第１の赤外通信信号センサ３２Ａはベース１１の左側に配置され、第２の赤外通信信号センサ３２Ｂはベース１１の中央に配置され、第３の赤外通信信号センサ３２Ｃはベース１１の右側に配置される。また、支柱１２から第２の赤外通信信号センサ３２Ｂに向かう放射方向を基準の０°として、そこから左側に４５°の角度αＬで延びる放射方向に第１の赤外通信信号センサ３２Ａが配置され、反対の右側に４５°の角度αＲで延びる放射方向に第３の赤外通信信号センサ３２Ｃが配置される。
【００２５】
なお、上述した左右の角度αＬ，αＲは、４５°以外の例えば７０°であってもよい。また、ベース１１の側面だけではなく、ベース１１の上面にも窓孔３５を開口形成して、その窓孔３５に臨んで受信センサ３２を配設してもよい。何れの場合も、赤外線信号を発するリモコン２の方向を正しく特定するために、それぞれの受信センサ３２は指向性チューブ３４が同じ方向を向かないように、つまり受信指向性の方向が各々異なるように、ベース１１の内部に所定の間隔を置いて配設される。
【００２６】
本実施例では、筒状の指向性チューブ３４を受光素子３３の前方に設けただけの簡単な構成で、窓孔３５から指向性チューブ３４の内部に特定の方向で進入する赤外線信号だけを、受光素子３３の受光面に到達させることができる。これにより、受光素子３３そのものに赤外線信号の受信指向性を持たせることができ、特定の方向からの赤外線信号を、受光素子３３で確実に受信することが可能になる。
【００２７】
また、ベース１１は本来、扇風機本体１が簡単に倒れないように、平面視で床面Ｓに対して比較的広い範囲に扁平状を有して形成されるので、受信部３１は狭い範囲の支柱１２や送風部１３よりも、広い範囲のベース１１に設けるのが好ましい。ベース１１を受信部３１の取付け部として利用すれば、それぞれの赤外通信信号センサ３２Ａ，３２Ｂ，３２Ｃを十分な間隔で配置することができ、どの方向から無線信号が発せられたとしても、その無線信号を受信部３１で確実に受信して、無線信号の認識精度を向上させることが可能となる。
【００２８】
図６は、ベース１１の上面に設けた操作パネル１６の外観を示したものである。同図において、操作パネル１６は上述した操作部４１や表示部５１を備えて構成される。操作部４１は、何れも押動操作が可能な複数の操作体として、運転切／入ボタン４２Ａと、ランダム切換ボタン４２Ｂと、風量強ボタン４２Ｃと、風量弱ボタン４２Ｄと、上下首振りボタン４２Ｅと、左右首振りボタン４２Ｆと、センサー運転ボタン４２Ｇと、切タイマーボタン４２Ｈと、入タイマーボタン４２Ｉと、により構成される。本実施例では、電源プラグ付きコード１５を家庭用のコンセント（図示せず）に差し込んだ状態で、操作部４１の運転切／入ボタン４２Ａを押すたびに、扇風機本体１の運転が開始または停止の何れかに切替わる構成となっている。
【００２９】
表示部５１は、信号受信ランプ５２Ａ，５２Ｂ，５２Ｃと、室温表示部５３Ａと、湿度表示部５３Ｂと、風量表示部５３Ｃと、上下首振りランプ５４Ａと、左右首振りランプ５４Ｂと、センサー運転モードランプ５４Ｃと、切タイマーランプ５４Ｄと、入タイマーランプ５４Ｅと、により構成される。この中で、表示部５１の信号受信ランプ５２Ａ，５２Ｂ，５２Ｃは、前述の赤外通信信号センサ３２Ａ，３２Ｂ，３２Ｃに対応して、ベース１１の円周側面に沿ってそれぞれ配置される。
【００３０】
図７は、扇風機本体１の電気的構成を示したものである。同図において、６１は扇風機本体１のベース１１内に配設されたマイコンを含む制御部であり、この制御部６１の入力ポートには、前述した受信部３１の赤外通信信号センサ３２Ａ，３２Ｂ，３２Ｃや、操作パネル１６を構成する操作部４１の他に、扇風機本体１の周辺の温度となる室温を検知する室温センサ６２と、扇風機本体１の周辺の湿度を検知する湿度センサ６３が電気的に接続される。また、制御部６１の出力ポートには、送風部１３の駆動源となるＤＣファンモータ２１や、操作パネル１６を構成する表示部５１や、首振り装置１４に組み込まれる首振り用モータ６４がそれぞれ接続される。
【００３１】
制御部６１は、マイコンによるソフトウェア上の機能として、主にＤＣファンモータ２１の動作を制御する送風制御部６５と、表示部５１の動作を制御する表示制御部６６と、首振り用モータ６４の動作を制御する首振り制御部６７と、をそれぞれ備えている。また制御部６１は、扇風機本体１の運転中はもとより、操作部４１に備えた運転切／入ボタン４２Ａの操作により、扇風機本体１の運転を停止した後も、送風部１３からの風量や、首振り装置１４による送風部１３の上下左右の首振り範囲などの設定状態を記憶保持する記憶部６８と、入タイマーや切タイマーなどのタイマー動作のための時間をカウントする計時部６９と、を備える。
【００３２】
そして本実施例では、運転切／入ボタン４２Ａからの操作信号を受けて、制御部６１が扇風機本体１の運転を開始させると、送風制御部６５は最初に記憶部６８に記憶保持された風量で、送風部１３からの送風が行われるように、ＤＣファンモータ２１に適切な駆動信号を供給するための制御信号を送出すると共に、首振り制御部６７も、最初に記憶部６８に記憶保持された首振り範囲で、送風部１３が左右および／または上下に揺動するように、首振り用モータ６４に適切な駆動信号を供給するための別な制御信号を送出する。
【００３３】
表示制御部６６は扇風機本体１の運転中に、送風部１３からの風量の設定状態を風量表示部５３Ｃに表示させる。送風部１３からの風量は送風制御部６５により制御され、風量強ボタン４２Ｃを押すたびに強くなり、風量弱ボタン４２Ｄを押すたびに弱くなる。また、ランダム切換ボタン４２Ｂを押すたびに、送風部１３からの風量が一定で変化しない連続風と、送風部１３からの風量が強弱して変化するランダム風の何れかに切替わる。表示制御部６６は、現在の設定されている風量だけでなく、連続風またはランダム風のいずれで送風が行われているのかを、風量表示部５３Ｃに表示させる。
【００３４】
扇風機本体１の運転中は、室温センサ６２と湿度センサ６３からの検知信号が制御部６１にそれぞれ取込まれる。これを利用して、表示制御部６６は室温表示部５３Ａに室温の目安を表示させると共に、湿度表示部５３Ｂに湿度の目安を表示させる。また、センサー運転ボタン４２Ｇを押すたびに、室温センサ６２や湿度センサ６３の検知結果に応じて設定されたセンサー運転モードが、例えば「強め」，「標準」，「弱め」の何れかに選択され、または解除される。センサー運転モードの動作中は、室温センサ６２で検知した室温と、湿度センサ６３で検知した室温に加えて、選択された「強め」，「標準」，「弱め」の何れかのモードに応じて、適切な風量が送風制御部６５で自動的に設定され、この設定された風量で送風部１３からの送風が行われるように、送風制御部６５がＤＣファンモータ２１の動作を制御する。ここでも表示制御部６６は、設定された風量を風量表示部５３Ｃに表示させると共に、どのモードが選択されているのかを、センサー運転モードランプ５４Ｃに表示させる。
【００３５】
その他、ここでは扇風機本体１の運転中に、切タイマーボタン４２Ｈを押すたびに、運転を停止するまでの切タイマー時間が、例えば「１時間」，「２時間」，「４時間」の何れかに設定され、または解除される。制御部６３は、切タイマーボタン４２Ｈからの操作信号を受けて切タイマー時間を設定すると、その設定された切タイマー時間を、表示制御部６６により切タイマーランプ５４Ｄに表示させ、計時部６９でカウントした時間が設定した切タイマー時間に達した時点で、ＤＣファンモータ２１や、表示部５１や、首振り用モータ６４の各動作を終わらせて、扇風機本体１の運転を自動的に停止させる。
【００３６】
一方、扇風機本体１の運転停止中や、切タイマー時間を設定した後に、入タイマーボタン４２Ｉを押すたびに、運転を開始するまでの入タイマー時間が、例えば「２時間」，「４時間」，「６時間」の何れかに設定され、または解除される。制御部６３は、入タイマーボタン４２Ｉからの操作信号を受けて入タイマー時間を設定すると、その設定された入タイマー時間を、表示制御部６６により入タイマーランプ５４Ｅに表示させ、計時部６９でカウントした時間が設定した入タイマー時間に達した時点で、前述した扇風機本体１の運転を自動的に開始させる。
【００３７】
次に、送風部１３の首振り運転の動作について説明する。先ず上下の首振り運転について、ここでは送風機１３から送風を行なう扇風機本体１の運転中に、上下首振りボタン４２Ｅを押すたびに、上下の首振り運転が「入」または「切」の何れかに切替わる。首振り制御部６７は、上下首振りボタン４２Ｅからの操作信号を受けて上下の首振り運転が「入」状態になると、送風部１３を上下方向に首振り動作させるために、首振り用モータ６４の動作を制御する。また表示制御部６６は、上下の首振り運転を「入」に切替えると、上下首振りランプ５４Ａを点灯させ、上下の首振り運転を「切」に切替えると、上下首振りランプ５４Ａを消灯させる。
【００３８】
一方、左右の首振り運転について、ここでは図８に示すように、扇風機本体１の運転中に、左右首振りボタン４２Ｆを押すたびに、左右の首振り運転のモードが、首振り角度を固定に設定した「９０°」と、首振り範囲を任意に設定できる「お好み」の何れかに切替わり、または解除される。第１のモードとなる「９０°」の首振り運転モードは、左右の首振り運転のモードが解除された状態から、左右首振りボタン４２Ｆを一回押すと設定される。このとき送風制御部６５は、送風部１３を正面から見たときの左右の首振り中心線Ｃを基準として、そこから予め決められた角度、すなわち左側に４５°の角度βＬ１と、右側に同じ４５°の角度βＲ１の範囲に、送風部１３が左右方向に首振り動作するように、首振り用モータ６４の動作を制御する。また表示制御部６６は、左右の首振り運転のモードを「９０°」に切替えると、左右首振りランプ５４Ｂの「９０°」に対応したランプだけを点灯させる。
【００３９】
なお、上述した左右の角度βＬ１，βＲ１は、４５°以外であってもよい。但し、第１のモードでは、扇風機本体１の操作部４１やリモコン操作部２８をいかに操作しても、予め設定された角度βＬ１，βＲ１は変更できないようになっている。
【００４０】
第２のモードとなる「お好み」の首振り運転モードは、左右の首振り運転のモードが解除された状態から、左右首振りボタン４２Ｆを二回押すと設定される。このとき送風制御部６５は、左右の首振り中心線Ｃを基準として、そこから人が任意に設定した左側の角度βＬ２と、右側の角度βＲ２の範囲に、送風部１３が左右方向に首振り動作するように、首振り用モータ６４の動作を制御する。また表示制御部６６は、左右の首振り運転のモードを「お好み」に切替えると、左右首振りランプ５４Ｂの「お好み」に対応したランプだけを点灯させる。
【００４１】
第２のモードでは、扇風機本体１の操作部４１やリモコン操作部２８を適宜操作することにより、左右の角度βＬ２，βＲ２がそれぞれ可変して設定され、記憶部６８に記憶保持される。本実施例では、左右の首振り中心線Ｃから左端までの角度βＬ２を例えば２０°とする一方で、右端までの角度βＲ２を例えば異なる５０°とすることができ、次に第２のモードを設定したときに、その角度βＬ２，βＲ２で左右の首振り動作を再開させることができる。したがって、本実施例でいう送風部１３の首振り中心位置に対応する左右の首振り中心線Ｃは、第１のモードでは常に左右の首振り範囲の中心にあるが、第２のモードでは必ずしも左右の首振り範囲の中心にあるとは限らず、この場合は左右の首振り範囲を可変設定する際の基準となる。
【００４２】
本実施例では、扇風機本体１に対する左右の首振り中心線Ｃを直接操作若しくは遠隔操作で指定することができる。直接操作は図９に示すように、首振り装置１４の機構部分を利用して、支柱１２に対して可動部となる送風部１３および首振り装置１４を一体に手で動かすことで、左右の首振り中心線Ｃひいては送風部１３からの風向を適宜調節できる。また図示しないが、上下方向についても同様に、送風部１３からの風向を手動で適宜調節できる。
【００４３】
一方、遠隔操作では図１に示すように、送風部１３が左右に首振り運転している扇風機本体１にリモコン２を向けた状態で、リモコン操作部２８の中の特定のボタン２７Ａを押動操作すると、リモコン２の送信部２９から特定のボタン２７Ａに対応した固有のコードを含む赤外線信号が送信される。この赤外線信号を扇風機本体１側の受信部３１で受信し、赤外線信号に含まれる固有のコードから、送風部１３の左右の首振り中心線Ｃを自分に合せるための操作が、リモコン２側で行われたと制御部６１が判断すると、制御部６１に組み込まれる首振り制御部６７は、受信部３１を構成する各赤外通信信号センサ３２Ａ，３２Ｂ，３２Ｃの受信レベルから、赤外線信号を発するリモコン２の方向を特定し、その方向に送風部１３の左右の首振り中心線Ｃを一致させるように、首振り用モータ６４の動作を制御する。このときの人の動きは、リモコン操作部２８を押動する程度の僅かなものに過ぎないが、扇風機本体１の周辺でリモコン操作部２８を操作して、リモコン２からの赤外線信号が扇風機本体１の受信部３１に到達すれば、人の動きの程度に関係なく、リモコン２を操作する人の存在を確実に検知でき、その人に送風部１３の左右の首振り中心線Ｃを合せた送風を行なうことが可能になる。
【００４４】
また表示制御部６６は、リモコン２からの赤外線信号を受信した赤外通信信号センサ３２Ａ，３２Ｂ，３２Ｃに対応して、表示部５１の信号受信ランプ５２Ａ，５２Ｂ，５２Ｃを一定時間点灯させる。これにより、リモコン２への操作の後に、どの赤外通信信号センサ３２Ａ，３２Ｂ，３２Ｃが赤外線信号を感知したのかを、すぐに理解することができる。
【００４５】
なお、リモコン２は特定のボタン２７Ａだけではなく、扇風機本体１の操作部４１を構成するボタン４２Ａ〜４２Ｉと同等のボタンを備えており、これらのボタンの何れかを操作することで、リモコン２からの赤外線信号を受信部３１で受信して、ボタン４２Ａ〜４２Ｉを押したときと同じ動作を行なえるようになっている。また、図６には示していないが、制御部６１の出力ポートに音発生装置を接続し、上述の遠隔操作により、首振り制御部６７がリモコン２を操作する人に送風部１３の左右の首振り中心線Ｃを向けたら、確認のために制御部６１から音発生装置に制御信号を送出して、例えば「ピピッ」という音を鳴動報知させてもよい。
【００４６】
以上のように本実施例は、送風を行なうための本体に相当する扇風機本体１と、扇風機本体１とは別に設けられ、リモコン操作部２８からの操作に伴う無線信号を送信部２９から送出する遠隔操作体としてのリモコン２と、からなる扇風機であって、扇風機本体１は、回転するファン２２を有する送風部１３と、その送風部１３を首振り運動させる首振り装置１４と、リモコン２からの無線信号を受信する受信部３１と、扇風機本体１の各部を制御する制御部６１と、を備え、受信部３１は、受信する指向性の方向が各々異なる複数の受信センサ３２として、３個の赤外通信信号センサ３２Ａ，３２Ｂ，３２Ｃを有し、制御部６１は、赤外通信信号センサ３２Ａ，３２Ｂ，３２Ｃの各受信量となる受信レベルから、無線信号を発するリモコン２の方向を決定し、その方向に送風部１３の首振り中心が一致するように、首振り装置１４の動作を制御する構成として首振り制御部６７を備えている。
【００４７】
この場合、人がリモコン２を操作したときに送出される無線信号が受信部３１に到達すると、首振り制御部６７は指向性の方向を変えた複数の受信センサ３２の受信量に基づき、リモコン２がどの方向にあるのかを決定し、その方向に送風部１３の左右の首振り中心が一致するように、首振り装置１４の動作を制御する。これにより、人が殆ど動かない状態であっても、リモコン２への操作を行なうことで、人の存在を確実に検知して、その人に送風部１３の首振り中心を合せた送風を行なうことが可能になる。
【００４８】
また、本実施例の受信センサ３２は、リモコン２からの無線信号として、赤外線信号を受ける受光素子３３と、受光素子３３の前方に配設される筒状の指向性チューブ３４と、により構成される。
【００４９】
これにより、リモコン２が送信する無線信号として広く普及する特定の方向からの赤外線信号を、筒状の指向性チューブ３４による簡単な構造で、外乱光や他の遠隔操作体からの赤外線信号によるノイズを排除しながら、受光素子３３で確実に受信することができ、赤外線信号の認識精度を向上させることが可能となる。
【００５０】
また、本実施例の扇風機本体１はさらに、床面Ｓに載置する基台としてのベース１１と、ベース１１から上方に向かう支持部としての支柱１２と、を備え、支柱１２の上部に送風部１３と首振り装置１４が配設され、受信センサ３２は、間隔を置いてベース１１にそれぞれ配設される。
【００５１】
この場合、扇風機本体１が倒れないように床面Ｓに対して比較的広い範囲に形成されるベース１１を、受信部３１の取付け部として利用すれば、それぞれの受信センサ３２を十分な間隔でベース１１に配置することができ、無線信号がどの方向から発せられた場合であっても、その無線信号の認識精度を向上させることが可能となる。
【実施例２】
【００５２】
図１０は、本発明の第２実施例における扇風機の外観を示している。同図において、本実施例では第１実施例における受信部３１に代わって、人の発した音などの音圧を測定する音圧計測部７１が組み込まれる。ここではリモコン２を図示していないが、第１実施例で説明した特定のボタン２７Ａ以外のボタン操作を行なうために、リモコン２と受信部３１を備えても構わない。その他の外観構成は、第１実施例と全く共通する。
【００５３】
音圧計測部７１は、音を捕捉する指向性の方向が各々異なるように配設された複数の音圧計測センサ７２、すなわち３個の音圧計測センサ７２Ａ，７２Ｂ，７２Ｃを有して構成される。音圧計測センサ７２Ａ，７２Ｂ，７２Ｃは同一の構成を有し、図１１に示すように、何れも音を捕捉するコンデンサ型のマイクロホン７３と、マイクロホン７３の前方に配設される直線円筒状のチューブ７４と、チューブ７４の内部に挿入され、チューブ７４の長さ方向に複数の空洞７５を有して構成される指向性フィルタ７６と、により構成される。この中で、チューブ７４と指向性フィルタ７６は、何れもマイクロホン３３への音の進入経路を制限するためのもので、好ましくはチューブ７４の長さＬ１が２０ｍｍ、指向性フィルタ７６の長さＬ２が１０ｍｍに形成される。チューブ７４は、長さ（軸）方向の両端を開口して、その一端がマイクロホン７３の受光面に臨んで受光素子３３に取付けられており、他端はベース１１の側面に開口形成した窓孔３５（第１実施例で図示）に臨んでいる。したがって、ベース１１に設けられる窓孔３５も、音圧計測センサ７２Ａ，７２Ｂ，７２Ｃと同じ数を有する。
【００５４】
本実施例でも図１０に示すように、支柱１２を中心として、そこからベース１１の側面に向かう異なる各放射方向に、音圧計測センサ７２Ａ，７２Ｂ，７２Ｃおよび窓孔３５がそれぞれ配設される。具体的には、扇風機本体１を正面から見て、第１の音圧計測センサ７２Ａはベース１１の左側に配置され、第２の音圧計測センサ７２Ｂはベース１１の中央に配置され、第３の音圧計測センサ７２Ｃはベース１１の右側に配置される。また、支柱１２から第２の音圧計測センサ７２Ｂに向かう放射方向を基準の０°として、そこから左側に７０°の角度αＬで延びる放射方向に第１の音圧計測センサ７２Ａが配置され、反対の右側に７０°の角度αＲで延びる放射方向に第３の音圧計測センサ７２Ｃが配置される。これにより、それぞれの音圧計測センサ７２Ａ，７２Ｂ，７２Ｃで音の認識精度を向上させることができる。
【００５５】
なお、上述した左右の角度αＬ，αＲは、７０°以外であってもよい。また、ベース１１の側面だけではなく、ベース１１の上面にも窓孔３５を開口形成して、その窓孔３５に臨んで音圧計測センサ７２を配設してもよい。何れの場合も、人が手を叩くなどして発した音の方向を正しく特定するために、それぞれの音圧計測センサ７２はチューブ７４が同じ方向を向かないように、つまり音を捕える指向性の方向が各々異なるように、ベース１１の内部に所定の間隔を置いて配設される。
【００５６】
本実施例では、指向性フィルタ７６が装着される筒状のチューブ７５を、受光素子３３の前方に設けただけの簡単な構成で、窓孔３５からチューブ７５の内部に特定の方向で進入する音だけを、マイクロホン７３に到達させることができる。これにより、マイクロホン７３そのものに指向性を持たせることができ、人が発した特定の方向からの音を、マイクロホン７３で確実に捕捉することが可能になる。
【００５７】
また、ベース１１を音圧計測部７１の取付け部として利用すれば、それぞれの音圧計測センサ７２Ａ，７２Ｂ，７２Ｃを十分な間隔で配置することができ、音がどの方向から発せられた場合であっても、その音を音圧計測部７１で確実に捕捉して、音の認識精度を向上させることが可能となる。
【００５８】
図１１は、扇風機本体１の電気的構成を示したものである。同図において、第１実施例と異なるのは、受信部３１に代わって音圧計測部７１が制御部６１の入力ポートに接続されていることである。また、ここでの首振り制御部６７は、音圧計測センサ７２Ａ，７２Ｂ，７２Ｃで捕捉した各音の音圧量から、その音の発生する方向を特定し、その方向に送風部１３の左右の首振り中心線Ｃを一致させるように、首振り用モータ６４の動作を制御する構成となっている。それ以外の電気的構成は、第１実施例と共通する。
【００５９】
本実施例では、扇風機本体１に対する左右の首振り中心線Ｃを前述した直接操作の他に、人が手を叩く操作で指定することができる。これは図１０に示すように、送風部１３が左右に首振り運転している状態で、扇風機本体１の周辺にいる人が手を叩いて、「パン」という音を発すると、制御部６１に組み込まれる首振り制御部６７は、音圧計測部７１を構成する各音圧計測センサ７２Ａ，７２Ｂ，７２Ｃの音圧レベルから、人が手を叩いて発した音の方向を特定し、その方向に送風部１３の左右の首振り中心線Ｃを一致させるように、首振り用モータ６４の動作を制御する。
【００６０】
図１３は、人が手を叩いたときに各音圧計測センサ７２Ａ，７２Ｂ，７２Ｃで捉えられた音の音圧レベルを示したものである。首振り制御部６７は、３個の音圧計測センサ７２Ａ，７２Ｂ，７２Ｃの音圧レベルを比較して、音圧レベルが最も高い音圧計測センサ（この場合は、第２の音圧計測センサ７２Ｂ）の位置が、人の叩いた音の来る方向であると判断し、その位置に送風部１３の左右の首振り中心線Ｃを一致させる。このときの人の動きは、手を叩く程度の僅かなものに過ぎないが、その音が扇風機本体１の音圧計測部７１に捕えられれば、人の動きの程度に関係なく、手を叩いた人の存在を確実に検知でき、その人に送風部１３の左右の首振り中心線Ｃを合せた送風を行なうことが可能になる。
【００６１】
以上のように本実施例では、回転するファン２２を有する送風部１３と、その送風部１３を首振り運動させる首振り装置１４と、音圧を測定する音圧計測部７１と、扇風機本体１の各部を制御する制御部６１と、を備えた扇風機であって、音圧計測部７１は、指向性の方向が各々異なる複数の音圧計測センサ７２として、３個の音圧計測センサ７２Ａ，７２Ｂ，７２Ｃを有し、制御部６１は、音圧計測センサ７２Ａ，７２Ｂ，７２Ｃの各音圧量から、その音の発生する方向を決定し、その方向に送風部１３の首振り中心が一致するように、首振り装置１４の動作を制御する構成として首振り制御部６７を備えている。
【００６２】
この場合、人が手を叩くなどして発した音が音圧計測部７１に到達すると、制御部６１は指向性の方向を変えた複数の音圧計測センサ７２の音圧量に基づき、音を発した人がどの方向にあるのかを決定し、その方向に送風部１３の首振り中心が一致するように、首振り装置１４の動作を制御する。これにより、人が動かない状態であっても、何らかの音を発することで、人の存在を確実に検知して、その人に送風部１３の首振り中心を合せた送風を行なうことが可能になる。
【００６３】
また、本実施例の音圧計測センサ７２は、音を捕捉するマイクロホン７３と、そのマイクロホン７３の前方に配設される筒状のチューブ７４と、チューブ７４の内部に装着され、チューブ７４の長さ方向に沿って複数の空洞７５を有して構成される指向性フィルタ７６と、により構成される。
【００６４】
この場合、人が発した特定の方向からの音を、筒状のチューブ７４と複数の空洞７５を有する指向性フィルタ７６とによる簡単な構造で、目的の音以外のノイズを排除しながら、指向性フィルタ７６を通過させてマイクロホン７３で確実に捕捉することができ、音の認識精度を向上させることが可能となる。
【００６５】
また、本実施例の扇風機本体１はさらに、床面Ｓに載置する基台としてのベース１１と、ベース１１から上方に向かう支持部としての支柱１２と、を備え、支柱１２の上部に送風部１３と首振り装置１４が配設され、音圧計測センサ７２は、間隔を置いてベース１１にそれぞれ配設される。
【００６６】
この場合、扇風機本体１が倒れないように床面Ｓに対して比較的広い範囲に形成されるベース１１を、音圧計測部７１の取付け部として利用すれば、それぞれの音圧計測センサ７２を十分な間隔でベース１１に配置することができ、音がどの方向から発せられた場合であっても、その音の認識精度を向上させることが可能となる。
【００６７】
本発明は上記実施例に限定されるものではなく、本発明の趣旨を逸脱しない範囲で種々の変更可能である。例えば、受信センサ３２や音圧計測センサ７２の数は、２個以上であれば幾つ配設しても構わない。また、各実施例で説明した技術的な特徴を、適宜組み合わせた扇風機としてもよい。
【符号の説明】
【００６８】
１  扇風機本体
２  リモコン（遠隔操作体）
１１  ベース（基台）
１２  支柱（支持部）
１３  送風部
１４  首振り装置
３１  受信部
３２  受信センサ
３３  受光素子
３４  指向性チューブ
６１  制御部
７１  音圧計測部
７２  音圧計測センサ
７３  マイクロホン
７４  チューブ
７５  空洞
７６  指向性フィルタ
【図１】
2019085883.tif 000003
【図２】
2019085883.tif 000004
【図３】
2019085883.tif 000005
【図４】
2019085883.tif 000006
【図５】
2019085883.tif 000007
【図６】
2019085883.tif 000008
【図７】
2019085883.tif 000009
【図８】
2019085883.tif 000010
【図９】
2019085883.tif 000011
【図１０】
2019085883.tif 000012
【図１１】
2019085883.tif 000013
【図１２】
2019085883.tif 000014
【図１３】
2019085883.tif 000015